(57)【要約】【課題】本発明の洗浄液は、芳香族系溶剤を一切含有しておらず、引火点も高く、近年、関心の高いＶＯＣ（揮発性有機化合物）対策にも有効である。更に、人体への安全性の高い成分で構成されており、低臭で作業環境が一層改善され保健衛生面からも好ましい。また、インキに対する優れた洗浄性を有しつつ、印刷機中の耐溶剤性の比較的低い部材にも影響を与えない。【解決手段】下記成分（ａ）、（ｂ）及び（ｃ）からなる紫外線硬化型インキ用洗浄液。（ａ）アルキレングリコール（ｂ）パラフィン系炭化水素及びナフテン系炭化水素から選ばれた１種以上の成分（ｃ）グリコールエーテル【選択図】    なし【特許請求の範囲】
【請求項１】
下記成分（ａ）、（ｂ）及び（ｃ）からなる紫外線硬化型インキ用洗浄液。
（ａ）アルキレングリコール
（ｂ）パラフィン系炭化水素及びナフテン系炭化水素から選ばれた１種以上の成分
（ｃ）グリコールエーテル
【請求項２】
（ａ）アルキレングリコール３〜３５重量％、（ｂ）パラフィン系炭化水素及びナフテン系炭化水素から選ばれた１種以上の成分３〜２５重量％並びに（ｃ）グリコールエーテル４５〜９４重量％からなる請求項１の洗浄液。
【請求項３】
アルキレングリコールが下記エチレングリコール類及びプロピレングリコール類から選ばれた１種以上の溶剤である請求項１又は２の洗浄液。
（１）エチレングリコール類：
エチレングリコール、ジエチレングリコール、トリエチレングリコール、テトラエチレングリコール、ポリエチレングリコール
（２）プロピレングリコール類：
プロピレングリコール、ジプロピレングリコール、トリプロピレングリコール、ポリプロピレングリコール
【請求項４】
パラフィン系炭化水素の沸点及びナフテン系炭化水素の沸点が１４０〜３００℃である請求項１〜３いずれかの洗浄液。
【請求項５】
グリコールエーテルの沸点が１２０〜２５０℃である請求項１〜４いずれかの洗浄液。
【発明の詳細な説明】
【技術分野】
【０００１】
本発明は紫外線硬化型インキ用の洗浄液に関する。本発明の洗浄液は紫外線硬化型インキを用いた印刷機において、その部材に対する影響が非常に少なくインキの付着したすべての部材の洗浄に用いることができる。
【背景技術】
【０００２】
1990年の初め、従来から使用されていた揮発性が高く、インキ溶解性の高い洗浄剤により、印刷機のゴムローラー、塗装部、パイプ、シール、パッキン類などの部材に侵食の問題が生じ始めた。このため、揮発性の低い炭化水素、植物油、各種油のエステルからなり低侵食性で臭気が低く、かつ印刷機にも悪影響を与えない洗浄液が開発され使用され始めた(国際印刷展DRUPA:1990年）。
更に、人体にも印刷機にも悪影響を与えないオフセット印刷機用洗浄液についての自主的な協定が、ドイツのFOGRA（印刷関連団体認証機関）、印刷及び製紙保険協会、ドイツの印刷協会およびＩＧメディアの協賛で印刷機メーカーによって始められた。
【０００３】
現在、日本国内で稼働中のオフセット印刷機に使用されているＵＶインキは多種多様であり、市販の洗浄液にますます溶け難くなっている。また、印刷物の品質の向上に伴い使用される印刷機の部材も多様化し、部材によっては洗浄液に侵されやすいものもある。
このため、印刷機の部材の耐薬品性向上をはかり印刷機への侵食を防止する必要が増大している。また、近年、印刷業界においても作業環境改善の要請は強く、従来の作業効率重視の姿勢から、洗浄液の人体への安全性や環境破壊に対する配慮が重視されつつある。
【０００４】
【特許文献１】特開平６−１３６５８１号公報
【特許文献２】特開平９−２７２８９８号公報
【特許文献３】特開２００６−４５４５４号公報
【発明の開示】
【発明が解決しようとする課題】
【０００５】
このように溶剤臭の低減と共に人体への安全性が高く、環境破壊がなく、かつＵＶインキに対し優れた溶解性を有し、印刷機に対する悪影響のない洗浄液が渇望されている。現在、このような要望を満たす洗浄液はなく、異なる種類の洗浄液を順次、或いは対象部材により使い分ける煩雑な洗浄作業を行っている。
【０００６】
本発明の目的は印刷機に使用されている有機溶剤に弱い部材に対する侵食が少なく、また人体に対する安全性も高く、ＵＶインキに対する優れた溶解性を有する紫外線硬化型インキ用洗浄液を提供することにある。
本発明者らはかかる問題点について鋭意検討を行った。その結果、洗浄液に（ａ）アルキレングリコールと（ｂ）パラフィン系及び／又はナフテン系の炭化水素を配合することにより、その相乗効果により前記課題が解決し得るとの知見を得て本発明を完成するに至った。
【課題を解決するための手段】
【０００７】
本発明は（ａ）アルキレングリコール、（ｂ）パラフィン系炭化水素及びナフテン系炭化水素から選ばれた１種以上の成分、並びに（ｃ）グリコールエーテルからなる紫外線硬化型インキ用洗浄液を提供するものである。
本発明の洗浄液は好ましくは（ａ）アルキレングリコールが３〜３５重量％、（ｂ）パラフィン系炭化水素及びナフテン系炭化水素から選ばれた１種以上の成分３〜２０重量％並びに（ｃ）グリコールエーテル４５〜９４重量％を含む。
【発明の効果】
【０００８】
本発明の洗浄液は、芳香族系溶剤を一切含有しておらず、引火点も高く、近年、関心の高いＶＯＣ（揮発性有機化合物）対策にも有効である。更に、人体への安全性の高い成分で構成されており、低臭で作業環境が一層改善され保健衛生面からも好ましい。また、インキに対する優れた洗浄性を有しつつ、印刷機中の耐溶剤性の比較的低い部材にも影響が少ない。すなわち、インキローラーゴム（或いは樹脂）やブランケットゴム表面の膨潤度が極めて低く、それぞれの箇所の部材に対する影響も少なく印刷機全体の保守頻度が減少し、印刷物の品質に好影響をもたらし得る。
【発明の詳述】
【０００９】
本発明の洗浄液は（ａ）アルキレングリコール、（ｂ）パラフィン系炭化水素及びナフテン系炭化水素から選ばれた１種以上の成分、並びに（ｃ）グリコールエーテルからなる。本発明の各配合成分について以下に詳細に説明する。
【００１０】
（ａ）アルキレングリコール
本発明洗浄液の第１の成分はアルキレングリコールである。アルキレングリコールの配合により洗浄液全体の部材に対する影響を安定的に低減させる緩衝作用の働きがある。アルキレングリコールは、洗浄作業後、最後まで残留する溶剤ではあるが適度なインキ溶解性を有しており、かつ無臭で引火点も高いので作業環境の点からも好ましい。
【００１１】
かかるアルキレングリコールの配合量は、本発明の洗浄液中、３〜４０重量％、好ましくは３〜３５重量％、より好ましくは１０〜３５重量％である。アルキレングリコールの配合量がこれより少ないと洗浄液が印刷機の部材に対して膨潤、侵食などの悪影響を与える。一方、アルキレングリコールの配合量が前記範囲より多いと、特定のＵＶインキしか溶けなくなり、洗浄液の乾燥が極端に悪くなる。更に、粘りが増してローラー間に液溜まりが起こり、ゴムローラー同士のスリップを誘発させて洗浄作業が困難になる。
【００１２】
本発明の洗浄液に配合されるアルキレングリコールとしては、エチレングリコール類、プロピレングリコール類などが挙げられ、特に下記のアルキレングリコール類を例示することができる。
（１）エチレングリコール類：
エチレングリコール、ジエチレングリコール、トリエチレングリコール、テトラエチレングリコール、ポリエチレングリコールなど
（２）プロピレングリコール類：
プロピレングリコール、ジプロピレングリコール、トリプロピレングリコール、ポリプロピレングリコール
などの溶剤が挙げられるが、好ましくは環境負荷の少ないＰＲＴＲ法及び有機則に該当しない溶媒が選択される。これらアルキレングリコールは単独で用いてもよく、複数を混合して用いてもよい。
【００１３】
（ｂ）パラフィン系炭化水素、ナフテン系炭化水素
本発明洗浄液の第２成分はパラフィン系炭化水素及びナフテン系炭化水素である。これらの炭化水素は低臭性で洗浄液全体の粘度を抑制し、アルキレングリコール系溶剤との相乗効果で洗浄可能な対象ＵＶインキの範囲を拡大する。このような炭化水素としては、常圧における沸点が１４０〜３００℃のノルマルパラフィン、イソパラフィン、ナフテンなどが挙げられる。
【００１４】
このような石油留分のうち、市販のパラフィン系炭化水素として下記の商品が挙げられる：シェルゾール（シェルジャパン（株））、ＩＰソルベント（出光興産（株））、アイソゾール（新日本石油（株））、アイソパー（エクソンモービル社）、０号ソルベント（新日本石油（株））
また、市販のナフテン系炭化水素として下記の商品が挙げられる：シェルゾール（シェルジャパン（株））、エクソール（エクソンモービル社）、ナフテゾール（新日本石油（株））、テクリーン（新日本石油（株））
これらの溶剤は単独で用いてもよく、複数を混合して用いてもよい。
【００１５】
パラフィン系炭化水素及びナフテン系炭化水素の配合量は、洗浄液中、好ましくは３〜２５重量％、より好ましくは４〜１７重量％である。これら炭化水素の配合量が前記範囲より少ないと洗浄液に粘りが生じ、乾燥性も低下し、特定のＵＶインキの溶解性が悪化する。一方、これらの配合量が前記範囲より多いと、特定のＵＶインキの溶解性が低下し印刷機の部材に悪影響が生ずる。
【００１６】
（ｃ）グリコールエーテル
本発明洗浄液の第３成分はグリコールエーテルである。
グリコールエーテルは印刷機の部材への影響が比較的低く低臭でＵＶインキに対する溶解性も有り、かつ適度の乾燥性を有することから相溶性の改善に寄与する。
【００１７】
このようなグリコールエーテルとしては、例えば、
(１)エチレングリコールモノメチルエーテル、エチレングリコールモノエチルエーテル、エチレングリコールモノプロピルエーテル、エチレングリコールモノブチルエーテル、エチレングリコールモノ−ｔ−ブチルエーテル等のエチレングリコールモノアルキルエーテル類；
(２)ジエチレングリコールモノメチルエーテル、ジエチレングリコールモノエチルエーテル、ジエチレングリコールモノプロピルエーテル、ジエチレングリコールモノブチルエーテル等のジエチレングリコールモノアルキルエーテル類；
(３)プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；
(４)ジプロピレングリコールモノメチルエーテル、ジプロピレングリコールモノエチルエーテル、ジプロピレングリコールモノプロピルエーテル、ジプロピレングリコールモノブチルエーテル等のジプロピレングリコールモノアルキルエーテル類；
(５)トリプロピレングリコールモノメチルエーテル、トリプロピレングリコールモノエチルエーテル等のトリプロピレングリコールモノアルキルエーテル類；
(６)テトラエチレングリコールモノメチルエーテル、テトラエチレングリコールモノエチルエーテル等のテトラエチレングリコールモノアルキルエーテル類；
(７) ３−メチル−３−メトキシブタノール、３−メトキシ−１−ブタノール；
などの溶剤が挙げられるが、好ましくは環境負荷の少ないＰＲＴＲ法及び有機則に該当しない溶媒が選択される。これらのうち、特に３−メチル−３−メトキシブタノール、エチレングリコールモノ−ｔ−ブチルエーテルなどの溶剤が好ましい。これらグリコールエーテルは単独で用いてもよく、複数を混合して用いてもよい。
【００１８】
これらグリコールエーテルの配合量は好ましくは４５〜９４重量％、より好ましくは６０〜８０重量％である。グリコールエーテルの配合量が前記の範囲より少ないと、相溶性が低く液分離を生じＵＶインキに対する溶解性が減少すると共に印刷機部材への影響を生ずる。一方、配合量が前記範囲より多いと、特定のＵＶインキに対する溶解性が低下し、また部材への影響も生ずる。
【００１９】
（洗浄液の調製）
本発明の洗浄液を調製するには、特別な操作、方法、機器は必要とせず、前記所定の成分を混合し、攪拌することにより容易に均一な溶液が得られる。このようにして調製された本発明の洗浄液は消防法上、危険物第四類第２石油類以上であり、安全、保健衛生及び環境保全の面からも好ましい。
【００２０】
（洗浄液の使用方法）
本発明洗浄液は、インキローラー或いはブランケットの洗浄にあたり従来公知のＵＶインキ用洗浄液と同様に使用することができる。本発明の洗浄液は洗浄力が優れ、インキローラーゴム（或いは樹脂）やブランケットゴム表面の膨潤度が極めて低く、それぞれの箇所の部材に対する侵食も少なく印刷機全体の保守頻度が低減し、印刷物の品質にも好影響をもたらし得る。従って、今までホース、シール、パッキン類の侵食の懸念から洗浄性のない洗浄液しか投入できなかった自動洗浄用タンクに対しても洗浄性に優れた洗浄液として用いることができる。このように本発明の洗浄液では、ＵＶインキ洗浄作業にあたっても広範囲の対象物に対して洗浄液として安心して使用できる。
【実施例】
【００２１】
つぎに本発明を実施例及び比較例により更に具体的に説明する。
［実施例１〜１０及び比較例１〜１０］
下記の表１に示す組成にて各成分を混合しインキローラー及びブランケット洗浄用の洗浄液を調製した。
【００２２】
【表１】
2008156612.tif 000002
【００２３】
（洗浄液の評価）
各実施例及び比較例にて得られた洗浄液を用い下記の条件により洗浄効果及びゴムの膨潤を評価した。
第一工程      （ＵＶインキ洗浄性）
ＵＶインキ５ｇの入ったビーカーに試料１００ｇを入れ、攪拌子がインキの塊に接触しない状態で５分間攪拌(at.20〜25℃)し、目視判定した。
◎：易溶、○：溶解、△〜○：着色、△：僅かに着色、×：無着色
第二工程      （ゴムの膨潤）
１辺が約１ｃｍの立方体のゴムを洗浄液にat.20℃、10日間浸漬し質量変化を測定した。
◎：30%以下、○：30〜35％、△〜○：35〜40%、△：40〜50％、×：50%以上
【００２４】
【表２】
2008156612.tif 000003